【事件の表示】
　平成　８年特許願第１７７３１９号「環形蛍光ランプ及び直管形蛍光ランプ」拒絶査定不服審判事件〔平成１０年　１月１６日出願公開、特開平１０−　１２１９０〕について、次のとおり審決する。
【結　論】
　本件審判の請求は、成り立たない。
【理　由】
１．手続きの経緯
　本願は、平成８年６月１８日の出願であって、平成１７年７月２０日付け（発送日同年７月２６日）で拒絶査定がなされ、これに対し、平成１７年８月２５日に拒絶査定に対する審判請求がなされるとともに、平成１７年９月８日付けで手続補正がなされたものである。
　
　
２．平成１７年９月８日付けの手続補正（以下、「本件補正」という。）についての補正却下の決定
［補正却下の決定の結論］
平成１７年９月８日付けの手続補正を却下する。
［理由］
本件補正は、（平成１６年４月８日付け手続補正書の）特許請求の範囲の
　
「【請求項１】　蛍光管と、一端に封止部を有し他端に蛍光管との連結部を有し内部に固形の水銀アマルガムを収容した排気管と、蛍光管の両端部を覆うとともに口金ピンを有する口金とを備えた環形蛍光ランプにおいて、
　上記排気管は、蛍光ランプの点灯発熱により上記固形の水銀アマルガムが溶融した場合、溶融した水銀アマルガムを上記排気管内にとどめ、溶融した水銀アマルガムが上記蛍光管に流出することを防止する滞留部を備え、
　上記排気管は、固形の水銀アマルガムを排気管内に収容するための凸部であって、上記滞留部を形成する凸部を備え、口金ピンが水平方向に対して上斜め方向４５度の角度になる場合に、上記凸部は、排気管内部で水平方向に対して垂直方向、かつ、上方向に伸びるように形成されたたことを特徴とする環形蛍光ランプ。　
　
　【請求項２】　蛍光管と、一端に封止部を有し他端に蛍光管との連結部を有し内部に固形の水銀アマルガムを収容した排気管と、蛍光管の各端部を覆うとともに２本の口金ピンを有する口金とを備えた直管形蛍光ランプにおいて、
　上記排気管は、蛍光ランプの点灯発熱により上記固形の水銀アマルガムが溶融した場合、溶融した水銀アマルガムを上記排気管内にとどめ、溶融した水銀アマルガムが上記蛍光管に流出することを防止する滞留部を備え、
　上記排気管は、固形の水銀アマルガムを排気管内に収容するための凸部であって、上記滞留部を形成する凸部を備え、上記２本の口金ピンが水平面に属するようになる場合に、上記凸部は、排気管内部で水平方向に対して垂直方向、かつ、上方向に伸びるように形成されたことを特徴とする直管形蛍光ランプ。」
　
を、
　
「【請求項１】　蛍光管と、一端に封止部を有し他端に蛍光管との連結部を有し内部に固形の水銀アマルガムを収容した排気管と、蛍光管の両端部を覆うとともに口金ピンを有する口金とを備えた環形蛍光ランプにおいて、
　ランプ完成後の上記排気管は、蛍光ランプの点灯発熱により上記固形の水銀アマルガムが溶融した場合、溶融した水銀アマルガムを上記排気管内にとどめ、溶融した水銀アマルガムが上記蛍光管に流出することを防止する滞留部を備え、
　上記排気管は、固形の水銀アマルガムを排気管内に収容するための凸部であって、上記滞留部を形成する凸部を備え、口金ピンが水平方向に対して上斜め方向４５度の角度になる場合に、上記凸部は、排気管内部で水平方向に対して垂直方向、かつ、上方向に伸びるように形成されたたことを特徴とする環形蛍光ランプ。
　
　【請求項２】　蛍光管と、一端に封止部を有し他端に蛍光管との連結部を有し内部に固形の水銀アマルガムを収容した排気管と、蛍光管の各端部を覆うとともに２本の口金ピンを有する口金とを備えた直管形蛍光ランプにおいて、
　ランプ完成後の上記排気管は、蛍光ランプの点灯発熱により上記固形の水銀アマルガムが溶融した場合、溶融した水銀アマルガムを上記排気管内にとどめ、溶融した水銀アマルガムが上記蛍光管に流出することを防止する滞留部を備え、
　上記排気管は、固形の水銀アマルガムを排気管内に収容するための凸部であって、上記滞留部を形成する凸部を備え、上記２本の口金ピンが水平面に属するようになる場合に、上記凸部は、排気管内部で水平方向に対して垂直方向、かつ、上方向に伸びるように形成されたことを特徴とする直管形蛍光ランプ。」
　
と補正することを含むものである。
　
　上記補正は、補正前の請求項１、２に記載した構成要件に「ランプ完成後の」を追加するものであるから、平成１８年改正前特許法第１７条の２第４項第２号の特許請求の範囲の減縮を目的とするものに該当する。
　そこで、本件補正後の請求項１に係る発明（以下、「本件補正発明１」という。）が特許出願の際独立して特許を受けることができるものであるかどうか（平成１８年改正前特許法第１７条の２第５項において準用する同法第１２６条第５項の規定に適合するか）について検討する。
　
（１）従来周知の環形蛍光ランプ
　いわゆる環形蛍光ランプは、従来より広く用いられており、例えば、特開平１−２５５１２６号公報における、
　
「［従来の技術］
　天井吊下型照明器具等に使用される環形蛍光ランプ（１）は、第９図乃至第１３図に示すように内面に蛍光膜（２）が被着形成され、且つ、両端部（３）（３）に電極（４）（４）を有するステム（５）（５）が封止されて４本の電極リード線（５）（５）・・・が導出された環状バルブ（７）と、この環形バルブ（７）の両端部（３）（３）間を橋絡するように封着された口金（８）とからなる。・・・
　上記環形蛍光ランプ（１）は、・・・、環形バルブ内を排気管を介して排気して電極の活性化を行ってから不活性ガスを充填して排気管をチップオフする排気工程、環形バルブの両端部に２分割された口金を装着する仕上げ工程等を経て製造される。この環形蛍光ランプ（１）の製造の仕上げ工程において、口金（８）は、口金本体（１０）をその口金ピン（９）（９）・・・を内方へ４５°傾けた状態で環形バルブ（７）の両端部（３）（３）間の内側に配置し、これに対して口金カバー（１１）を環形バルブ（７）の両端部（３）（３）間の外側で上記口金本体（１０）と対向配置させ、口金本体（１０）と口金カバー（１１）とを衝合させて環状バルブ（７）の両端部（３）（３）を挟み込んでネジ（１２）にて締付け固定することによって装着される。」（１頁右欄５行〜２頁左上欄２０行）
　
の記載にみられるような、
　
「蛍光膜（２）が被着形成された環形バルブ（７）（蛍光管に相当。）と、一端に封止部を有し他端に蛍光管との連結部（封止部及び連結部は、チップオフ時に形成される。）を有する排気管（排気管に相当。）と、蛍光膜（２）が被着形成された環形バルブ（７）（蛍光管に相当。）の両端部（３）（３）（両端部に相当。）を覆うとともに口金ピン（９）（９）（口金ピンに相当。）を有する口金（８）（口金に相当。）とを備えた環形蛍光ランプ（環形蛍光ランプに相当。）において、
　口金ピン（９）（９）（口金ピンに相当。）が内方へ４５°傾けた状態で配置された（水平方向に対して上斜め方向４５度の角度になるに相当。）、
ことを特徴とする環形蛍光ランプ（１）（環形蛍光ランプに相当。）。」
　
であって、本願の出願前周知である（以下、これを「従来周知の環形蛍光ランプ」という。）。
　　
（２）対比・判断
　本件補正発明１と従来周知の環形蛍光ランプとを対比する。
　従来周知の環形蛍光ランプにおける「蛍光膜（２）が被着形成された環形バルブ（７）」、「排気管」、「両端部（３）（３）」、「口金ピン（９）（９）」、「口金（８）」、「環形蛍光ランプ（１）」は、それぞれ、
　本件補正発明１における「蛍光管」、「排気管」、「両端部」、「口金ピン」、「口金」、「環形蛍光ランプ」に相当する。
　さらに、従来周知の環形蛍光ランプにおける「内方へ４５°傾けた状態で配置された」は、
　本件補正発明１における「水平方向に対して上斜め方向４５度の角度になる」に相当する。
　
したがって、両者は、
　
【一致点】
「蛍光管と、一端に封止部を有し他端に蛍光管との連結部を有する排気管と、蛍光管の両端部を覆うとともに口金ピンを有する口金とを備えた環形蛍光ランプにおいて、
　口金ピンが水平方向に対して上斜め方向４５度の角度になる、
ことを特徴とする環形蛍光ランプ。」
で一致し、
　
【相違点】
　「本件補正発明１では、排気管が、内部に固形の水銀アマルガムを収容し、ランプ完成後の排気管は、蛍光ランプの点灯発熱により固形の水銀アマルガムが溶融した場合、溶融した水銀アマルガムを排気管内にとどめ、溶融した水銀アマルガムが蛍光管に流出することを防止する滞留部を備え、
　排気管は、固形の水銀アマルガムを排気管内に収容するための凸部であって、上記滞留部を形成する凸部を備え、口金ピンが水平方向に対して上斜め方向４５度の角度になる場合に、凸部は、排気管内部で水平方向に対して垂直方向、かつ、上方向に伸びるように形成されているのに対して、
　従来周知の環形蛍光ランプでは、排気管（排気管に相当。）が、どのようなものか不明である点」
で相違する。
　　
　そこで、上記【相違点】について検討する。
原査定の拒絶の理由に引用された、本願の出願前の昭和６１年３月２５日に頒布された特開昭６１−５８１５４号公報（以下、「引用例」という。）における、
　
（ａ）「［発明の技術分野］
　本発明は管内水銀蒸気圧をアマルガムによって制御するようにした低圧水銀蒸気放電灯に関する。」（１頁右下欄１行〜３行）
　
（ｂ）「そこで、本発明者は、アマルガムを１つの塊として電極よりも管端部側の細管内に設置することを試みている。この場合、アマルガムは細管を通じて発光管内を排気した後、この細管の先端開口部を通じて投入されるが、この際、アマルガムがけい光ランプの発光管内に脱落するのを阻止するため、この細管の途中に通路断面積が絞られた絞り部を形成し、この絞り部と細管の封止端との間でアマルガムを保持するようにしている。」（２頁左上欄５行〜１３行）
　
の記載にみられるごとく、
「細管（排気管に相当。）が、内部に１つの塊（固形に相当。）の水銀アマルガムを収容し、ランプ完成後の細管（排気管に相当。）は、
絞り部と細管の封止端との間の空間（滞留部に相当。）を備え、
　細管（排気管に相当。）は、１つの塊（固形に相当。）の水銀アマルガムを細管（排気管に相当。）内に収容するための絞り部（凸部に相当。）であって、絞り部と細管の封止端との間の空間（滞留部に相当。）を形成する絞り部（凸部に相当。）を備え、ている排気のための細管（排気管に相当。）。」
　
は、公知である。
　
　したがって、従来周知の環形蛍光ランプにおいて、その排気管（排気管に相当。）を、引用例に記載の排気のための細管（排気管に相当。）に置換して、排気のための細管（排気管に相当。）が、内部に１つの塊（固形に相当。）の水銀アマルガムを収容し、ランプ完成後の細管（排気管に相当。）が、絞り部と細管の封止端との間の空間（滞留部に相当。）を備え、排気のための細管（排気管に相当。）は、１つの塊（固形に相当。）の水銀アマルガムを細管（排気管に相当。）内に収容するための絞り部（凸部に相当。）であって、絞り部と細管の封止端との間の空間（滞留部に相当。）を形成する絞り部（凸部に相当。）を備えるように構成することは、当業者が容易になし得ることである。
　そして、排気のための細管（排気管に相当。）の絞り部（凸部に相当。）は、通常、細管（排気管に相当。）を細径に加工したものである
　
（例えば、特開昭６４−６３２６１号公報における、「第５図および第６図は、直管形または環形けい光ランプの端部を示す断面図（直管形および環形とも構造は同じ）である。図において、・・・、６は排気管を兼用した細管である。
　上記細管６はフレアステム３に形成した連通孔７を介して放電空間８に導通しており、この細管６の根元部には細径に加工した絞り部９が形成されている。
　この細管６には、例えばＢｉ−Ｉｎ−Ｈｇ合金よりなる主アマルガム１０が、絞り部９より放電空間８側に移動することなく保持されて収容されている。」（２頁右上欄２行〜１７行）の記載参照。）
　
から、
　排気のための細管（排気管に相当。）の軸周りの回転角度位置によらず、
　　　絞り部と細管の封止端との間の空間（滞留部に相当。）は、環形蛍光ランプ（蛍光ランプに相当。）の点灯発熱により１つの塊（固形に相当。）の水銀アマルガムが溶融した場合、溶融した水銀アマルガムを排気のための細管（排気管に相当。）内にとどめ、溶融した水銀アマルガムが、蛍光膜（２）が被着形成された環形バルブ（７）（蛍光管に相当。）に流出することを防止するように作用するし、
　　　口金ピン（９）（９）（口金ピンに相当。）が内方へ４５°傾けた状態で配置された（水平方向に対して上斜め方向４５度の角度になるに相当。）場合に、絞り部（凸部に相当。）は、排気のための細管（排気管に相当。）内部で水平方向に対して垂直方向、かつ、上方向に伸びるように形成されていることになる。
　　
　そして、本件補正発明１の効果は、従来周知の環形蛍光ランプ、引用例に記載された発明に基づいて当業者が予測可能な範囲のものである。
　
　したがって、本件補正発明１は、従来周知の環形蛍光ランプ、引用例に記載された発明に基づいて当業者が容易に発明をすることができたものであるから、特許法第２９条第２項の規定により特許出願の際独立して特許を受けることができないものである。
　
（３）むすび
　以上のとおり、本件補正は、平成１８年改正前特許法第１７条の２第５項において準用する同法第１２６条第５項の規定に違反するものであるから、平成１８年改正前特許法第１５９条第１項の規定において読み替えて準用する同法第５３条第１項の規定により却下すべきものである。
　
　
３．本願発明について
　平成１７年９月８日付けの手続補正は上記のとおり却下されたので、本願の請求項１〜２に係る発明は、平成１６年４月８日付け手続補正書の特許請求の範囲の請求項１〜２に記載されたとおりのものであると認められるところ、その請求項１に係る発明（以下、「本願発明１」という。）は次のとおりである。
　
「【請求項１】　蛍光管と、一端に封止部を有し他端に蛍光管との連結部を有し内部に固形の水銀アマルガムを収容した排気管と、蛍光管の両端部を覆うとともに口金ピンを有する口金とを備えた環形蛍光ランプにおいて、
　上記排気管は、蛍光ランプの点灯発熱により上記固形の水銀アマルガムが溶融した場合、溶融した水銀アマルガムを上記排気管内にとどめ、溶融した水銀アマルガムが上記蛍光管に流出することを防止する滞留部を備え、
　上記排気管は、固形の水銀アマルガムを排気管内に収容するための凸部であって、上記滞留部を形成する凸部を備え、口金ピンが水平方向に対して上斜め方向４５度の角度になる場合に、上記凸部は、排気管内部で水平方向に対して垂直方向、かつ、上方向に伸びるように形成されたたことを特徴とする環形蛍光ランプ。」
　
（１）従来周知の環形蛍光ランプ
　従来周知の環形蛍光ランプは、前記「２．（１）」に記載したとおりである。
　
（２）対比・判断
　本願発明１は、前記「２．」で検討した本件補正発明１から「ランプ完成後の」の構成要件を省いたものである。
　そうすると、本願発明１の構成を全て含み、さらに他の構成要件を付加したものに相当する本件補正発明１が、前記「２．（２）」に記載したとおり従来周知の環形蛍光ランプ、引用例に記載された発明に基づいて当業者が容易に発明をすることができたものであるから、本願発明１も、本件補正発明１についての判断で示したのと同様の理由により、従来周知の環形蛍光ランプ、引用例に記載された発明に基づいて当業者が容易に発明をすることができたものである
　
（３）むすび
　以上のとおり、本願発明１は、従来周知の環形蛍光ランプ、引用例に記載された発明に基づいて当業者が容易に発明をすることができたものであるから、特許法第２９条第２項の規定により特許を受けることができない。
　そして、本願発明１が特許を受けることができないものであるから、その余の請求項２に係る発明について検討するまでもなく、本願は拒絶すべきものである。
　よって、結論のとおり審決する。